(57)【要約】【課題】動画像の撮影及び再生が可能な撮像装置で、ある動画像の途中に他の画像を組込んで１つの動画像とする編集操作を装置単体で簡略化して実施する。【解決手段】動画像データを記録するフラッシュメモリ38と、このフラッシュメモリ38に記録されている動画像データ中の任意の時間位置を指定するキー入力部36と、この時間位置の指定に基づいて画像の撮影に移行し、撮影により得た画像データを指定された時間位置に基づき動画像データに組込んで再生させるＣＰＵ32とを備える。【選択図】      図２
2006340381.tif 000002
【特許請求の範囲】
【請求項１】
動画像の撮影及び再生が可能な撮像装置において、
撮影により得た動画像データを記録する記録手段と、
この記録手段に記録されている動画像データ中の任意の時間位置を指定する指定手段と、
この指定手段による時間位置の指定に基づいて画像の撮影に移行する撮影制御手段と、
この撮影制御手段での撮影により得た画像データを上記指定された時間位置に基づき動画像データに組込んで記憶させる組込手段と
を具備したことを特徴とする撮像装置。
【請求項２】
上記指定手段は、動画像データ中の複数の任意の時間位置を指定することを特徴とする請求項１記載の撮像装置。
【請求項３】
上記指定手段は、動画像データ中の複数の任意の時間位置と撮影順序とを指定し、
上記撮影制御手段は、この指定手段により指定された撮影順序に従って複数の画像の撮影に移行する
ことを特徴とする請求項１記載の撮像装置。
【請求項４】
上記撮影制御手段は、上記指定手段による時間位置の指定に基づき、動画像中の指定された時間位置直前の所定時間分の動画像を再生させた後に画像の撮影に移行することを特徴とする請求項１記載の撮像装置。
【請求項５】
動画像の撮影及び再生が可能な撮像装置の画像編集方法であって、
撮影により得た動画像データを記録する記録媒体に記録されている動画像データ中の任意の時間位置を指定する指定工程と、
この指定工程で指定した時間位置に基づいて画像の撮影に移行する撮影制御工程と、
この撮影制御工程での撮影により得た画像データを上記指定された時間位置に基づき動画像データに組込んで記憶させる組込工程と
を有したことを特徴とする画像編集方法。
【請求項６】
動画像の撮影及び再生が可能な撮像装置の画像編集方法であって、
撮影により得た動画像データを記録する記録媒体に記録されている動画像データ中の任意の時間位置を指定する指定工程と、
この指定工程で指定した時間位置に基づいて静止画像の撮影に移行する撮影制御工程と、
この撮影制御工程での撮影により得た静止画像データを上記指定された時間位置に基づき、所定時間の静止画として動画像データに組込んで記憶させる組込工程と
を有したことを特徴とする画像編集方法。
【請求項７】
動画像の撮影及び再生が可能な撮像装置に内蔵されるコンピュータに実行させるプログラムであって、
撮影により得た動画像データを記録する記録媒体に記録されている動画像データ中の任意の時間位置を指定する指定ステップと、
この指定ステップで指定した時間位置に基づいて画像の撮影に移行する撮影制御ステップと、
この撮影制御ステップでの撮影により得た画像データを上記指定された時間位置に基づき動画像データに組込んで記憶させる組込みステップと
をコンピュータに実行させることを特徴とするプログラム。
【発明の詳細な説明】
【技術分野】
【０００１】
本発明は、動画の記録及び再生が可能な撮像装置、画像編集方法及びプログラムに関する。
【背景技術】
【０００２】
近時、半導体メモリに撮影で得た画像データを記録することが可能なデジタルスチルカメラ（以下「デジタルカメラ」と略称する）が、銀塩フィルムに画像を記録する旧来のカメラを越えて広く一般に普及している。
【０００３】
この種のデジタルカメラでは、記録媒体の容量の点でカメラ一体型のビデオテープレコーダほどの長時間記録はできないものの、静止画像のみならず連写画像や動画像などの時間的に連続した画像も撮影できる機種がほとんどである。
【０００４】
しかるに、この種のデジタルカメラで動画像を撮影した場合、記録媒体であるメモリカード等に記録されている個々の動画像データは独立したものなので、デジタルカメラを用いて例えば２つの動画像を組合わせて１つの動画像に纏める、などといった作業を行なうことは困難であり、パーソナルコンピュータの編集用ソフトウェアを使用するしかなかった。
【０００５】
そのような環境下で、デジタルカメラ単体で動画像の一部消去や分割、連結等の簡易な編集作業が可能なものが提案されている。（例えば、特許文献１参照。）
【特許文献１】特開平１１−２７５５１２号公報
【発明の開示】
【発明が解決しようとする課題】
【０００６】
上述した通り特許文献１のデジタルカメラでは、動画像中の編集点を指定し、その指定した編集点を基準として動画像の一部を消去、分割、連結する編集作業が可能なものが示されている。
【０００７】
このデジタルカメラで、共にすでに記録されている、ある動画像Ａの途中に別の動画像Ｂを組込む場合の作業について考えると、
（１）動画像Ａ中の編集点を指定する
（２）編集モード「はさみ」で動画像ＡをＡ１とＡ２に分割する
（３）編集モード「のり」で動画像Ａ１と動画像Ｂを連結する
（４）編集モード「のり」で動画像「Ａ１＋Ｂ」と動画像Ａ２を連結する
という工程が必要になる。
【０００８】
加えて、上記分割、連結等の各編集作業後は、即座にそれら編集を終えた動画像を記録媒体であるフラッシュメモリに上書き保存するものとなっている。したがって、編集を終えた動画像「Ａ１＋Ｂ＋Ａ２」を再生モードを選択して確認し、その内容がユーザの意図した通りのものではなかった場合、今度はその連結された動画像「Ａ１＋Ｂ＋Ａ２」を２つの編集点を指定して３つの動画像に分割することから作業をやり直さなくてはならない。
【０００９】
このように、基本的な編集作業を組合わせて複数の動画像に対する指示を行なうようになるため、全体を通してはどうしても操作が煩雑で、且つやり直しにも同等の手間がかかってしまうという不具合があった。
【００１０】
本発明は上記のような実情に鑑みてなされたもので、その目的とするところは、特に、ある動画像の途中に他の動画像を組込んで１つの動画像とする編集操作を装置単体で簡略化して実施可能な撮像装置、画像編集方法及びプログラムを提供することにある。
【課題を解決するための手段】
【００１１】
請求項１記載の発明は、動画像の撮影及び再生が可能な撮像装置において、撮影により得た動画像データを記録する記録手段と、この記録手段に記録されている動画像データ中の任意の時間位置を指定する指定手段と、この指定手段による時間位置の指定に基づいて画像の撮影に移行する撮影制御手段と、この撮影制御手段での撮影により得た画像データを上記指定された時間位置に基づき動画像データに組込んで記憶させる組込手段とを具備したことを特徴とする。
【００１２】
請求項２記載の発明は、上記請求項１記載の発明において、上記指定手段は、動画像データ中の複数の任意の時間位置を指定することを特徴とする。
【００１３】
請求項３記載の発明は、上記請求項１記載の発明において、上記指定手段は、動画像データ中の複数の任意の時間位置と撮影順序とを指定し、上記撮影制御手段は、この指定手段により指定された撮影順序に従って複数の画像の撮影に移行することを特徴とする。
【００１４】
請求項４記載の発明は、上記請求項１記載の発明において、上記撮影制御手段は、上記指定手段による時間位置の指定に基づき、動画像中の指定された時間位置直前の所定時間分の動画像を再生させた後に画像の撮影に移行することを特徴とする。
【００１５】
請求項５記載の発明は、動画像の撮影及び再生が可能な撮像装置の画像編集方法であって、撮影により得た動画像データを記録する記録媒体に記録されている動画像データ中の任意の時間位置を指定する指定工程と、この指定工程で指定した時間位置に基づいて画像の撮影に移行する撮影制御工程と、この撮影制御工程での撮影により得た画像データを上記指定された時間位置に基づき動画像データに組込んで記憶させる組込工程とを有したことを特徴とする。
【００１６】
請求項６記載の発明は、動画像の撮影及び再生が可能な撮像装置の画像編集方法であって、撮影により得た動画像データを記録する記録媒体に記録されている動画像データ中の任意の時間位置を指定する指定工程と、この指定工程で指定した時間位置に基づいて静止画像の撮影に移行する撮影制御工程と、この撮影制御工程での撮影により得た静止画像データを上記指定された時間位置に基づき、所定時間の静止画として動画像データに組込んで記憶させる組込工程とを有したことを特徴とする。
【００１７】
請求項７記載の発明は、動画像の撮影及び再生が可能な撮像装置に内蔵されるコンピュータに実行させるプログラムであって、撮影により得た動画像データを記録する記録媒体に記録されている動画像データ中の任意の時間位置を指定する指定ステップと、この指定ステップで指定した時間位置に基づいて画像の撮影に移行する撮影制御ステップと、この撮影制御ステップでの撮影により得た画像データを上記指定された時間位置に基づき動画像データに組込んで記憶させる組込みステップとをコンピュータに実行させることを特徴とする。
【発明の効果】
【００１８】
請求項１記載の発明によれば、動画像データ中の任意の時間位置の指定後、画像を撮影して動画像に組込んで記憶させるまでの一連の編集作業をモード変更等の操作なしに実施可能としたため、作業を大幅に簡易化できる。
【００１９】
請求項２記載の発明によれば、上記請求項１記載の発明の効果に加えて、例えばフラッシュバック的な映像効果を容易に設定して実施できるため、表現の幅を広めることができる。
【００２０】
請求項３記載の発明によれば、上記請求項１記載の発明の効果に加えて、途中に組込む複数の画像個々の撮影順序も指定できるものとしたため、より撮影と編集とに要する手間を簡略化し、容易に表現力の高い動画像を作成することができる。
【００２１】
請求項４記載の発明によれば、上記請求項１記載の発明の効果に加えて、組込む画像の直前のシーンを再生により視認させるため、意図を充分に認識してから組込む画像の撮影に移行でき、撮影の失敗を減らすことができる。
【００２２】
請求項５記載の発明によれば、動画像データ中の任意の時間位置の指定後、画像を撮影して動画像に組込んで記憶させるまでの一連の編集作業をモード変更等の操作なしに実施可能としたため、作業を大幅に簡易化できる。
【００２３】
請求項６記載の発明によれば、動画像データ中の任意の時間位置の指定後、静止画像を撮影して動画像に所定時間の静止画像として組込んで記憶させるまでの一連の編集作業をモード変更等の操作なしに実施可能としたため、作業を大幅に簡易化できる。
【００２４】
請求項７記載の発明によれば、動画像データ中の任意の時間位置の指定後、画像を撮影して動画像に組込んで再生表示させるまでの一連の編集作業をモード変更等の操作なしに実施可能としたため、作業を大幅に簡易化できる。
【発明を実施するための最良の形態】
【００２５】
（第１の実施形態）
以下本発明をデジタルカメラに適用した場合の第１の実施形態について図面を参照して説明する。
【００２６】
図１は、その外観構成を示すもので、図１（Ａ）が主に前面の、図１（Ｂ）が主に背面の構成を示す斜視図である。
【００２７】
このデジタルカメラ１は、略矩形の薄板状ボディの前面に、撮影レンズ２、セルフタイマランプ３、光学ファインダ窓４、マイクロホン部５、ストロボ発光部６、及びラバーグリップ７を配設し、上面の（ユーザにとって）右端側には電源キー８及びシャッタキー９を配する。
【００２８】
ラバーグリップ７は、ユーザが撮影時にデジタルカメラ１を右手で筐体右側面側から把持した場合に右手中指、薬指、及び小指が確実に該筐体を把持できるように配設されたゴム製の帯状突起である。
【００２９】
また、電源キー８は、電源のオン／オフ毎に操作するキーであり、シャッタキー９は、撮影モード時に撮影を指示する一方で、メニュー選択等では設定／実行を指示する実行キーとしても機能するものとする。
【００３０】
また、デジタルカメラ１の背面には、モードスイッチ（ＳＷ）１０、スピーカ部１１、メニューキー１２、十字キー１３、光学ファインダ１４、ストロボチャージランプ１５、及び表示部１６を配する。
【００３１】
モードスイッチ１０は、例えばスライドキースイッチにより構成され、基本モードである記録モード「Ｒ」と再生モード「Ｐ」とを切換える。
【００３２】
メニューキー１２は、各種メニュー項目等を選択させる際に操作する。
【００３３】
十字キー１３は、上下左右各方向へのカーソル移動用のキーが一体に形成されたものである。
【００３４】
表示部１６は、バックライト付きのカラー液晶パネルで構成されるもので、記録モード時には電子ファインダとしてスルー画像のモニタ表示を行なう一方で、再生モード時には選択した画像を再生表示する。
【００３５】
なお、図示はしないがデジタルカメラ１の底面には、記録媒体として用いられるメモリカードを着脱するためのメモリカードスロットや、外部のパーソナルコンピュータ等と接続するためのシリアルインタフェースコネクタとして、例えばＵＳＢ（Ｕｎｉｖｅｒｓａｌ  Ｓｅｒｉｕａｌ  Ｂｕｓ）コネクタ等が設けられるものとする。
【００３６】
次いで図２により上記デジタルカメラ１の電子回路構成を説明する。
画像撮影モードでのモニタリング状態においては、モータ（Ｍ）２１の駆動により合焦位置や絞り位置が移動される、上記撮影レンズ２を含むレンズ光学系２２の撮影光軸後方に配置された撮像素子であるＣＣＤ２３が、タイミング発生器（ＴＧ）２４、垂直ドライバ２５によって走査駆動され、一定周期毎に結像した光像に対応する光電変換出力を１画面分出力する。
【００３７】
この光電変換出力は、アナログ値の信号の状態でＲＧＢの各原色成分毎に適宜ゲイン調整された後に、サンプルホールド回路（Ｓ／Ｈ）２６でサンプルホールドされ、Ａ／Ｄ変換器２７でデジタルデータに変換され、カラープロセス回路２８で画素補間処理及びγ補正処理を含むカラープロセス処理が行なわれて、デジタル値の輝度信号Ｙ及び色差信号Ｃｂ，Ｃｒが生成され、ＤＭＡ（Ｄｉｒｅｃｔ  Ｍｅｍｏｒｙ  Ａｃｃｅｓｓ）コントローラ２９に出力される。
【００３８】
ＤＭＡコントローラ２９は、カラープロセス回路２８の出力する輝度信号Ｙ及び色差信号Ｃｂ，Ｃｒを、同じくカラープロセス回路２８からの複合同期信号、メモリ書込みイネーブル信号、及びクロック信号を用いて一度ＤＭＡコントローラ２９内部のバッファに書込み、ＤＲＡＭインタフェース（Ｉ／Ｆ）３０を介してバッファメモリとして使用されるＤＲＡＭ３１にＤＭＡ転送を行なう。
【００３９】
制御部３２は、ＣＰＵと、動作プログラムを固定的に記憶したＲＯＭ、及びワークメモリとして使用されるＲＡＭ等により構成され、このデジタルカメラ１全体の制御動作を司るもので、上記輝度及び色差信号のＤＲＡＭ３１へのＤＭＡ転送終了後に、この輝度及び色差信号をＤＲＡＭインタフェース３０を介してＤＲＡＭ３１より読出し、ＶＲＡＭコントローラ３３を介してＶＲＡＭ３４に書込む。
【００４０】
デジタルビデオエンコーダ３５は、上記輝度及び色差信号をＶＲＡＭコントローラ３３を介してＶＲＡＭ３４より定期的に読出し、これらのデータを元にビデオ信号を発生して上記表示部１６に出力する。
【００４１】
この表示部１４は、上述した如く画像撮影モード時にはモニタ表示部（電子ファインダ）として機能するもので、デジタルビデオエンコーダ３５からのビデオ信号に基づいた表示を行なうことで、その時点でＶＲＡＭコントローラ３３から取込んでいる画像情報に基づく画像をリアルタイムに表示することとなる。
【００４２】
このように表示部１４にその時点での画像がモニタ画像としてリアルタイムに表示されている状態で、静止画撮影を行ないたいタイミングでキー入力部３６を構成する上記シャッタキー９を操作すると、トリガ信号を発生する。
【００４３】
制御部３２は、このトリガ信号に応じてその時点でＣＣＤ２３から取込んでいる１画面分の輝度及び色差信号のＤＲＡＭ３１へのＤＭＡ転送の終了後、直ちにＣＣＤ２３からのＤＲＡＭ３１への経路を停止し、記録保存の状態に遷移する。
【００４４】
この記録保存の状態では、制御部３２がＤＲＡＭ３１に書込まれている１フレーム分の輝度及び色差信号をＤＲＡＭインタフェース３０を介してＹ，Ｃｂ，Ｃｒの各コンポーネント毎に縦８画素×横８画素の基本ブロックと呼称される単位で読出してＪＰＥＧ（Ｊｏｉｎｔ  Ｐｈｏｔｏｇｒａｐｈ  ｃｏｄｉｎｇ  Ｅｘｐｅｒｔｓ  Ｇｒｏｕｐ）回路３７に書込み、このＪＰＥＧ回路３７でＡＤＣＴ（Ａｄａｐｔｉｖｅ  Ｄｉｓｃｒｅｔｅ  Ｃｏｓｉｎｅ  Ｔｒａｎｓｆｏｒｍ：適応離散コサイン変換）、エントロピ符号化方式であるハフマン符号化等の処理によりデータ圧縮する。
【００４５】
そして、得た符号データを１画像のデータファイルとして該ＪＰＥＧ回路３７から読出し、このデジタルカメラ１の記録媒体として着脱自在に装着されるメモリカード内に封入された、不揮発性メモリであるフラッシュメモリ３８に書込む。
【００４６】
さらに、このフラッシュメモリ３８は、着脱可能なメモリカードとは別に、デジタルカメラ１に内蔵されているものとしてもよく、さらにはメモリカードと内蔵のメモリの双方を併用するものとしてもよい。
【００４７】
そして、１フレーム分の輝度及び色差信号の圧縮処理及びフラッシュメモリ３８への全圧縮データの書込み終了に伴なって、制御部３２はＣＣＤ２３からＤＲＡＭ３１への経路を再び起動する。
【００４８】
また、制御部３２にはさらに、音声処理部３９及びＵＳＢインタフェース（Ｉ／Ｆ）４０が接続される。
【００４９】
音声処理部３９は、ＰＣＭ音源等の音源回路を備え、音声の録音時には上記マイクロホン部（ＭＩＣ）５より入力された音声信号をデジタル化し、所定のデータファイル形式、例えばＭＰ３（ＭＰＥＧ−１  ａｕｄｉｏ  ｌａｙｅｒ  ３）にしたがってデータ圧縮して音声データファイルを作成して制御部３２へ送出する一方、音声の再生時には送られてきた音声データファイルの圧縮を解いてアナログ化し、上記スピーカ部（ＳＰ）１１を駆動して、拡声放音させる。
【００５０】
ＵＳＢインタフェース４０は、ＵＳＢコネクタ４１を介して有線接続される外部機器、例えばパーソナルコンピュータとの間で画像データその他の送受を行なう場合の通信制御を行なう。
【００５１】
なお、上記キー入力部３６は、上述したシャッタキー９の他に、上記電源キー８、モードスイッチ１０、メニューキー１２、十字キー１３等から構成され、それらのキー操作に伴なう信号は直接制御部３２へ送出される。
【００５２】
しかるに、静止画像ではなく動画像の撮影時においては、キー入力部３６のシャッタキー９が操作され続けている間、上述した静止画像データをＪＰＥＧ回路３７でデータ圧縮した静止画データファイルのフラッシュメモリ３８への記録を時間的に連続して実行し、該シャッタキー９の操作が終わるか、または所定の制限時間、例えば３０秒が経過した時点でそれら一連の静止画データファイルを一括してモーションＪＰＥＧのデータファイルとして設定し直す。
【００５３】
また、再生モード時には、制御部３２がフラッシュメモリ３８に記録されている画像データを選択的に読出し、ＪＰＥＧ回路３７で撮影モード時にデータ圧縮した手順と全く逆の手順で圧縮されている画像データを伸長し、伸長した画像データをＤＲＡＭインタフェース３０を介してＤＲＡＭ３１に保持させた上で、このＤＲＡＭ３１の保持内容をＶＲＡＭコントローラ３３を介してＶＲＡＭ３４に記憶させ、このＶＲＡＭ３４より定期的に画像データを読出してビデオ信号を発生し、表示部１６で再生出力させる。
【００５４】
選択した画像データが静止画像ではなく動画像であった場合、選択した動画像ファイルを構成する個々の静止画像データの再生を時間的に連続して実行し、すべての静止画像データの再生を終了した時点で、次に再生の指示がなされるまで先頭に位置する静止画像データのみを用いて再生表示する。
【００５５】
次に上記実施の形態の動作について説明する。
図３は、モードスイッチ１０により再生モードを選択している状態で、フラッシュメモリ３８に記録されている動画像データを選択して他の動画像データを組込んで更新記録するまでの、主として制御部３２による一連の処理内容を示すものである。
【００５６】
その当初には、まず表示させたい動画像データを選択した上で（ステップＡ０１）、例えば直接のシャッタキー９操作による、再生開始を指示するキー操作がなされるか否か（ステップＡ０２）、あるいはメニューキー１２と十字キー１３の操作に続けてのシャッタキー９の操作により、選択している動画像の途中に他の動画像を組込む動画挿入モードの指定がなされるか否か（ステップＡ０３）、を繰返し判断することで、これらのキー操作を待機する。
【００５７】
しかして、動画挿入モードの指定に係るキー操作がなされた場合は、ステップＡ０３でこれを判断し、動画挿入モードの設定を行なってから（ステップＡ０４）、再び上記ステップＡ０１からの処理に戻る。
【００５８】
ステップＡ０２で再生を開始するキー操作がなされたと判断すると、まずその時点で上記動画挿入モードの設定がなされているか否かを判断する（ステップＡ０５）。
【００５９】
ここで、動画挿入モードが設定されていなかった場合には、以後、通常の動画再生の処理を行なうものとし、ここではその説明を省略する。
【００６０】
また、上記ステップＡ０５で動画挿入モードが設定されていると判断すると、上記ステップＡ０１で選択した動画像データの再生を開始すると共に（ステップＡ０６）、例えばシャッタキー９の操作によりその再生表示している動画像途中の挿入時点を指示する挿入マークの付与がなされたか否か（ステップＡ０７）、はじめに選択した動画像の再生が終了したか否か（ステップＡ０８）、を繰返し判断することで、これらの状態となるのを待機する。
【００６１】
図１０は、上記ステップＡ０６及びステップＡ０７の表示部１６における表示例を示すもので、上記ステップＡ０１で選択した動画像データの再生表示中に、挿入時点を指示する挿入マークＭの付与がなされた状態である。下の方に表示されているバーは現在再生表示中の動画像データの全体をＢＡＲで表し、ＢＡＲ１で全体のうち現在までに再生した割合を示している。
【００６２】
ステップＡ０８で動画像の再生が終了したと判断した場合、挿入マークの付与がなされず、結果としてはじめに選択した動画像中に編集（挿入）するべき時間位置がなかったものとして、以上でこの一連の処理を終了する。
【００６３】
また、上記ステップＡ０７で挿入マークの付与がなされたと判断した場合、直ちに基本モードとしての再生モードから記録モードに移行し（ステップＡ０９）、挿入する新たな動画像の記録を開始指示するキー操作、具体的にはシャッタキー９の操作を待機する（ステップＡ１０）。
【００６４】
この場合、併せて表示部１６にて例えば
「挿入する動画像の撮影に移行します
シャッタを押して撮影を行って下さい」
のような文字列でガイドメッセージを表示するものとしてもよい。
【００６５】
図１１は、上記ステップＡ０９で記録モードに移行し、上記ガイドメッセージをスルー画像に重ねて表示部１６に表示した例を示している。
【００６６】
シャッタキー９の操作により動画像の記録開始が指示されると、ステップＡ１０でこれを判断して、以後挿入する動画像の記録を実行しながら（ステップＡ１１）、シャッタキー９の操作が解除されるか、あるいは予め設定された動画像の連続記録の制限時間、例えば３０秒となることにより動画像の記録を終了するか否かを判断する（ステップＡ１２）、という処理を繰返し実行して、動画像の記録を続行する。
【００６７】
このとき、得られる動画像データは順次フラッシュメモリ３８に新たな動画像データとして記録していく。
【００６８】
そして、ステップＡ１２で動画像の記録を終了すると判断すると、以上で挿入するべき動画像データの取得を終えたものとして、再び記録モードを再生モードに切換設定した上で（ステップＡ１３）、はじめに上記ステップＡ０１で選択した動画像データの途中に上記記録によって得た新たな動画像データを組込んだ動画像データを表示部１６にて最初から最後まで一通り再生表示する（ステップＡ１４）。
【００６９】
その再生を終えた後、再生した内容で新規に動画像データのファイルを記録保存するか否かを判断する（ステップＡ１５）。
【００７０】
これは、表示部１６で例えば
「いま再生した内容で記録し直しますか？
はい    いいえ」
のような文字列のガイドメッセージを表示し、併せて上記「はい」の文字列部分をカーソルにより反転表示した状態で、直接シャッタキー９が操作されるか、あるいは十字キー１３の右方向キーの操作でカーソルによる反転表示が上記「いいえ」の文字列部分に移動された後にシャッタキー９が操作されるかにより判断する。
【００７１】
しかして、上記ステップＡ１５で新規に記録保存すると判断した場合には、フラッシュメモリ３８に記録されている２つの動画像データを用いて上記再生を行なった順序となるように編集作業を実施し、１つの動画像データとして新規に記録し直して（ステップＡ１６）、以上でこの一連の処理を終了する。
【００７２】
また、上記ステップＡ１５で新規に記録保存しないと判断した場合には、挿入するものとして後から撮影により得た動画像データをフラッシュメモリ３８から消去して削除し（ステップＡ１７）、以上でこの一連の処理を終了する。
【００７３】
図４は、上述した一連の処理に基づいて編集される動画像データを例示するものである。始めに、図４（１）に示すような動画像Ａを上記ステップＡ０１で選択したものとする。
【００７４】
動画挿入モードを設定した状態でこの動画像Ａを再生し、図４（２）に示す再生時点で挿入マークＩＭを付与したものとする。挿入マークＩＭを挟んで、この動画像Ａ中のすでに再生を終えた前半部をＡ１とし、まだ再生していない後半部をＡ２とする。
【００７５】
自動的に記録モードに移行し、上記ステップＡ１０〜Ａ１２の処理により挿入すべきものとして図４（３）に示すような動画像Ｂを新たに記録すると、ステップＡ１３で再び自動的に再生モードに移行し、続くステップＡ１４で図４（４）に示すような、上記動画像Ａ中の挿入マークＩＭ付与位置に動画像Ｂを組込んだ一連の動画像「Ａ１＋Ｂ＋Ａ２」を表示部１６で再生表示する。
【００７６】
こうして再生した、動画像Ｂを任意の時間位置に組込んだ動画像Ａについて、新規の動画像として記録保存する旨のキー操作がなされると、ステップＡ１６において上述した新規の動画像Ａ′が図４（５）に示すように記録媒体であるフラッシュメモリ３８に更新記録されることとなり、併せて整理のために同時に古い動画像Ａ及び動画像Ｂの各データファイルはフラッシュメモリ３８から消去される。
【００７７】
このように、先に選択した動画像（Ａ）中の任意の時間位置の指定を行なった後、挿入するべき新たな動画像（Ｂ）を撮影し、これを先の動画像（Ａ）に組込んで動画像（Ａ１＋Ｂ＋Ａ２）として再生表示させるまでの一連の編集作業を、基本モード等の変更操作を一切必要とせずに、最小限のキー操作で実施可能としたので、このデジタルカメラ１のユーザが編集に要する作業を大幅に簡易化できる。
【００７８】
加えて、後に挿入するものとして撮影して得た動画像（Ｂ）を組込んだ動画像の内容（Ａ１＋Ｂ＋Ａ２）を再生により一旦確認した上で記録媒体であるフラッシュメモリ３８に記録するものとしたので、編集した内容がユーザの意図通りのものではなかった場合には記録を行なわず、併せて後から撮影した動画像（Ｂ）のフラッシュメモリ３８からの削除も自動的に行なうため、再度同様の編集作業に復帰するまでの工程を大幅に短縮することができる。
【００７９】
（第２の実施形態）
以下本発明をデジタルカメラに適用した場合の第２の実施形態について図面を参照して説明する。
【００８０】
なお、その外観構成については上記図１に示したものと、また電子回路構成については上記図２に示したものと、それぞれ基本的には同様であるものとして、同一部分は同一符号を用い、その図示及び説明は省略する。
【００８１】
次に上記実施の形態の動作について説明する。
図５は、モードスイッチ１０により再生モードを選択している状態で、フラッシュメモリ３８に記録されている動画像データを選択して他の動画像データを組込んで更新記録するまでの、主として制御部３２による一連の処理内容を示すものである。
【００８２】
その当初には、まず表示させたい動画像データを選択した上で（ステップＢ０１）、例えば直接のシャッタキー９操作による、再生開始を指示するキー操作がなされるか否か（ステップＢ０２）、あるいはメニューキー１２と十字キー１３の操作に続けてのシャッタキー９の操作により、選択している動画像の途中に他の動画像を組込む動画挿入モードの指定がなされるか否か（ステップＢ０３）、を繰返し判断することで、これらのキー操作を待機する。
【００８３】
しかして、動画挿入モードの指定に係るキー操作がなされた場合は、ステップＢ０３でこれを判断し、動画挿入モードの設定を行なってから（ステップＢ０４）、再び上記ステップＢ０１からの処理に戻る。
【００８４】
ステップＢ０２で再生を開始するキー操作がなされたと判断すると、まずその時点で上記動画挿入モードの設定がなされているか否かを判断する（ステップＢ０５）。
【００８５】
ここで、動画挿入モードが設定されていなかった場合には、以後、通常の動画再生の処理を行なうものとし、ここではその説明を省略する。
【００８６】
また、上記ステップＢ０５で動画挿入モードが設定されていると判断すると、上記ステップＢ０１で選択した動画像データの再生を開始すると共に（ステップＢ０６）、この選択した動画像の再生が終了したか否か（ステップＢ０７）、例えばシャッタキー９の操作によりその再生表示している動画像途中の挿入時点を指示する挿入マークの付与がなされたか否か（ステップＢ０８）、例えば十字キー１３の右方向キーの操作により挿入マークの付与を終了するか否か（ステップＢ０９）、を繰返し判断することで、これらの状態となるのを待機する。
【００８７】
ステップＢ０８で挿入マークの付与がなされたと判断した場合、その時間位置に対応して挿入マークを付与するものとして制御部３２内部で記憶設定し（ステップＢ１０）、次いで上記ステップＢ０９からの処理に戻る。
【００８８】
しかして、上記ステップＢ０７で選択した動画像の再生が終了したと判断した場合、あるいは上記ステップＢ０９で挿入マークの付与を終了すると判断した場合には、次いで制御部３２内部に記憶設定されている挿入マークの付与設定があるか否かにより、選択した動画像に挿入するべき動画像があるか否かを判断する（ステップＢ１１）。
【００８９】
挿入するべき動画像があると判断すると、直ちに基本モードとしての再生モードから記録モードに移行し（ステップＢ１２）、挿入する新たな動画像の記録を開始指示するキー操作、具体的にはシャッタキー９の操作を待機する（ステップＢ１３）。
【００９０】
この場合、併せて表示部１６にて例えば
「挿入する動画像の撮影に移行します
シャッタを押して撮影を行って下さい」
のような文字列でガイドメッセージを表示するものとしてもよい。
【００９１】
シャッタキー９の操作により動画像の記録開始が指示されると、ステップＢ１３でこれを判断して、以後挿入する動画像の記録を実行しながら（ステップＢ１４）、シャッタキー９の操作が解除されるか、あるいは予め設定された動画像の連続記録の制限時間、例えば３０秒となることにより動画像の記録を終了するか否かを判断する（ステップＢ１５）、という処理を繰返し実行して、動画像の記録を続行する。
【００９２】
このとき、得られる動画像データは順次フラッシュメモリ３８に新たな動画像データとして記録していく。
【００９３】
そして、ステップＢ１５で動画像の記録を終了すると判断すると、制御部３２内部に記憶されている挿入マークの付与設定に、記録済みであることを示すフラグ情報を付すなどしてチェックした上で（ステップＢ１６）、上記ステップＢ１１に戻り、まだ他にも挿入するべき動画像があるか否か判断する。
【００９４】
上記ステップＢ１０における挿入マークの付与設定を複数実行し、はじめに選択した動画像中の複数箇所にそれぞれ動画像を挿入するものとした場合、その数に応じて上記ステップＢ１１〜Ｂ１６の処理を繰返し実行し、挿入するべき動画像を順次記録していく。
【００９５】
そして、挿入するべきすべての動画像の撮影と記録とが終了した時点で、上記ステップＢ１１にて他に挿入するべき動画像はもうないものと判断し、再び記録モードを再生モードに切換設定した上で（ステップＢ１７）、はじめに上記ステップＢ０１で選択した動画像データの途中に上記記録によって得た新たな動画像データを複数組込んだ動画像データを表示部１６にて最初から最後まで一通り再生表示する（ステップＢ１８）。
【００９６】
その再生を終えた後、再生した内容で新規に動画像データのファイルを記録保存するか否かを判断する（ステップＢ１９）。
【００９７】
これは、表示部１６で例えば
「いま再生した内容で記録し直しますか？
はい    いいえ」
のような文字列のガイドメッセージを表示し、併せて上記「はい」の文字列部分をカーソルにより反転表示した状態で、直接シャッタキー９が操作されるか、あるいは十字キー１３の右方向キーの操作でカーソルによる反転表示が上記「いいえ」の文字列部分に移動された後にシャッタキー９が操作されるかにより判断する。
【００９８】
しかして、上記ステップＢ１９で新規に記録保存すると判断した場合には、フラッシュメモリ３８に記録されている各動画像データを用いて上記再生を行なった順序となるように編集作業を実施し、１つの動画像データとして新規に記録し直して（ステップＢ２０）、以上でこの一連の処理を終了する。
【００９９】
また、上記ステップＢ１９で新規に記録保存しないと判断した場合には、挿入するものとして後から撮影により得た各動画像データをフラッシュメモリ３８から一括消去して削除し（ステップＢ２１）、以上でこの一連の処理を終了する。
【０１００】
図６は、上述した一連の処理に基づいて編集される動画像データを例示するものである。始めに、図６（１）に示すような動画像Ａを上記ステップＢ０１で選択したものとする。
【０１０１】
動画挿入モードを設定した状態でこの動画像Ａを再生し、図６（２）に示す各再生時点で計３箇所に挿入マークＩＭ１〜ＩＭ３を付与したものとする。こうして付与された各挿入マークＩＭ１〜ＩＭ３を挟んで、この動画像Ａを構成する部分Ａ１〜Ａ４に分割して考える。
【０１０２】
自動的に記録モードに移行し、上記ステップＢ１３〜Ｂ１６の処理により挿入すべきものとして図６（３）〜図６（５）に示すような各動画像Ｂ〜Ｄを新たに順次記録すると、挿入に必要な動画像の記録を終えたものとステップＢ１１で判断した後にステップＢ１７で再び自動的に再生モードに移行する。
【０１０３】
そして、続くステップＢ１８で図６（６）に示すような、上記動画像Ａ中の各挿入マークＩＭ１〜ＩＭ３の付与位置にそれぞれ動画像Ｂ，Ｃ，Ｄを組込んだ一連の動画像「Ａ１＋Ｂ＋Ａ２＋Ｃ＋Ａ３＋Ｄ＋Ａ４」を表示部１６で再生表示する。
【０１０４】
こうして再生した、複数の動画像Ｂ〜Ｄをそれぞれ任意の時間位置に組込んだ動画像Ａについて、新規の動画像として記録保存する旨のキー操作がなされると、ステップＢ２０において上述した新規の動画像Ａ′が図６（７）に示すように記録媒体であるフラッシュメモリ３８に更新記録されることとなり、併せて整理のために同時に古い動画像Ａ及び挿入するべく撮影により得た動画像Ｂ〜Ｄの各データファイルはフラッシュメモリ３８から消去される。
【０１０５】
このように、先に選択した動画像（Ａ）中の任意の時間位置の指定を複数行なった後、挿入するべき新たな動画像（Ｂ〜Ｄ）を順次撮影し、これを先の動画像（Ａ）に組込んで動画像（Ａ１＋Ｂ＋Ａ２＋Ｃ＋Ａ３＋Ｄ＋Ａ４）として再生表示させるまでの一連の編集作業を、基本モード等の変更操作を一切必要とせずに、最小限のキー操作で実施可能としたので、このデジタルカメラ１のユーザが編集に要する作業を大幅に簡易化できる。
【０１０６】
加えて、複数の動画像を先に選択した動画像に挿入することにより、例えばフラッシュバック的な映像効果を容易に設定して実施できるため、表現の幅を大きく広めることができる。
【０１０７】
（第３の実施形態）
以下本発明をデジタルカメラに適用した場合の第３の実施形態について図面を参照して説明する。
【０１０８】
なお、その外観構成については上記図１に示したものと、また電子回路構成については上記図２に示したものと、それぞれ基本的には同様であるものとして、同一部分は同一符号を用い、その図示及び説明は省略する。
【０１０９】
次に上記実施の形態の動作について説明する。
図７は、モードスイッチ１０により再生モードを選択している状態で、フラッシュメモリ３８に記録されている動画像データを選択して他の動画像データを組込んで更新記録するまでの、主として制御部３２による一連の処理内容を示すものである。
【０１１０】
その当初には、まず表示させたい動画像データを選択した上で（ステップＣ０１）、例えば直接のシャッタキー９操作による、再生開始を指示するキー操作がなされるか否か（ステップＣ０２）、あるいはメニューキー１２と十字キー１３の操作に続けてのシャッタキー９の操作により、選択している動画像の途中に他の動画像を組込む動画挿入モードの指定がなされるか否か（ステップＣ０３）、を繰返し判断することで、これらのキー操作を待機する。
【０１１１】
しかして、動画挿入モードの指定に係るキー操作がなされた場合は、ステップＣ０３でこれを判断し、動画挿入モードの設定を行なってから（ステップＣ０４）、再び上記ステップＣ０１からの処理に戻る。
【０１１２】
ステップＣ０２で再生を開始するキー操作がなされたと判断すると、まずその時点で上記動画挿入モードの設定がなされているか否かを判断する（ステップＣ０５）。
【０１１３】
ここで、動画挿入モードが設定されていなかった場合には、以後、通常の動画再生の処理を行なうものとし、ここではその説明を省略する。
【０１１４】
また、上記ステップＣ０５で動画挿入モードが設定されていると判断すると、上記ステップＣ０１で選択した動画像データの再生を開始すると共に（ステップＣ０６）、この選択した動画像の再生が終了したか否か（ステップＣ０７）、例えばシャッタキー９の操作によりその再生表示している動画像途中の挿入時点を指示する挿入マークの付与がなされたか否か（ステップＣ０８）、例えば十字キー１３の右方向キーの操作により挿入マークの付与を終了するか否か（ステップＣ０９）、を繰返し判断することで、これらの状態となるのを待機する。
【０１１５】
ステップＣ０８で挿入マークの付与がなされたと判断した場合、その時間位置に対応して挿入マークを付与するものとして制御部３２内部で記憶設定し（ステップＣ１０）、併せてその撮影順序を同じく制御部３２に記憶設定して（ステップＣ１１）、次いで上記ステップＣ０９からの処理に戻る。
【０１１６】
しかして、上記ステップＣ０７で選択した動画像の再生が終了したと判断した場合、あるいは上記ステップＣ０９で挿入マークの付与を終了すると判断した場合には、次いで制御部３２内部に記憶設定されている挿入マークの付与設定があるか否かにより、選択した動画像に挿入するべき動画像があるか否かを判断する（ステップＣ１２）。
【０１１７】
挿入するべき動画像があると判断すると、直ちに基本モードとしての再生モードから記録モードに移行し（ステップＣ１３）、その挿入するべき動画像の中で撮影順位が先頭となっているものを指定した上で（ステップＣ１４）、挿入する新たな動画像の記録を開始指示するキー操作、具体的にはシャッタキー９の操作を待機する（ステップＣ１５）。
【０１１８】
この場合、併せて表示部１６にて例えば
「挿入する動画像の撮影に移行します
シャッタを押して撮影を行って下さい」
のような文字列でガイドメッセージを表示するものとしてもよい。
【０１１９】
シャッタキー９の操作により動画像の記録開始が指示されると、ステップＣ１５でこれを判断して、以後挿入する動画像の記録を実行しながら（ステップＣ１６）、シャッタキー９の操作が解除されるか、あるいは予め設定された動画像の連続記録の制限時間、例えば３０秒となることにより動画像の記録を終了するか否かを判断する（ステップＣ１７）、という処理を繰返し実行して、動画像の記録を続行する。
【０１２０】
このとき、得られる動画像データは順次フラッシュメモリ３８に新たな動画像データとして記録していく。
【０１２１】
そして、ステップＣ１７で動画像の記録を終了すると判断すると、制御部３２内部に記憶されている挿入マークの付与設定に、記録済みであることを示すフラグ情報を付すなどしてチェックした上で（ステップＣ１８）、上記ステップＣ１２に戻り、まだ他にも挿入するべき動画像があるか否か判断する。
【０１２２】
上記ステップＣ１０，Ｃ１１における挿入マークの付与設定を複数実行し、はじめに選択した動画像中の複数箇所にそれぞれ動画像を挿入するものとした場合、その数に応じて上記ステップＣ１２〜Ｃ１８の処理を繰返し実行し、挿入するべき動画像を指定した撮影順序に従って順次記録していく。
【０１２３】
そして、挿入するべきすべての動画像の撮影と記録とが終了した時点で、上記ステップＣ１２にて他に挿入するべき動画像はもうないものと判断し、再び記録モードを再生モードに切換設定した上で（ステップＣ１９）、はじめに上記ステップＣ０１で選択した動画像データの途中に上記撮影順序の指定通り記録して得た新たな動画像データを複数組込んだ動画像データを表示部１６にて最初から最後まで一通り再生表示する（ステップＣ２０）。
【０１２４】
その再生を終えた後、再生した内容で新規に動画像データのファイルを記録保存するか否かを判断する（ステップＣ２１）。
【０１２５】
これは、表示部１６で例えば
「いま再生した内容で記録し直しますか？
はい    いいえ」
のような文字列のガイドメッセージを表示し、併せて上記「はい」の文字列部分をカーソルにより反転表示した状態で、直接シャッタキー９が操作されるか、あるいは十字キー１３の右方向キーの操作でカーソルによる反転表示が上記「いいえ」の文字列部分に移動された後にシャッタキー９が操作されるかにより判断する。
【０１２６】
しかして、上記ステップＣ２１で新規に記録保存すると判断した場合には、フラッシュメモリ３８に記録されている各動画像データを用いて上記再生を行なった順序となるように編集作業を実施し、１つの動画像データとして新規に記録し直して（ステップＣ２２）、以上でこの一連の処理を終了する。
【０１２７】
また、上記ステップＣ２１で新規に記録保存しないと判断した場合には、挿入するものとして後から撮影により得た各動画像データをフラッシュメモリ３８から一括消去して削除し（ステップＣ２３）、以上でこの一連の処理を終了する。
【０１２８】
図８は、上述した一連の処理に基づいて編集される動画像データを例示するものである。始めに、図８（１）に示すような動画像Ａを上記ステップＣ０１で選択したものとする。
【０１２９】
動画挿入モードを設定した状態でこの動画像Ａを再生し、図８（２）に示す各再生時点で計３箇所に挿入マークＩＭ１〜ＩＭ３を付与したものとする。この場合、併せて挿入する動画像の撮影順序も同時に指定される。こうして指定された各挿入マークＩＭ１〜ＩＭ３を挟んで、この動画像Ａを構成する部分Ａ１〜Ａ４に分割して考える。
【０１３０】
自動的に記録モードに移行し、上記ステップＣ１５〜Ｃ１８の処理により挿入すべきものとして図８（３）〜図８（５）に示すような各動画像Ｂ〜Ｄを新たに順次記録すると、挿入に必要な動画像の記録を終えたものとステップＣ１２で判断した後にステップＣ１９で再び自動的に再生モードに移行する。
【０１３１】
そして、続くステップＣ２０で図８（６）に示すような、上記動画像Ａ中の各挿入マークＩＭ１〜ＩＭ３の付与位置にそれぞれ指定された撮影順序に従った動画像Ｃ，Ｄ，Ｂを組込んだ一連の動画像「Ａ１＋Ｃ＋Ａ２＋Ｄ＋Ａ３＋Ｂ＋Ａ４」を表示部１６で再生表示する。
【０１３２】
こうして再生した、複数の動画像Ｂ〜Ｄをそれぞれ指定された撮影順序通りに任意の時間位置に組込んだ動画像Ａについて、新規の動画像として記録保存する旨のキー操作がなされると、ステップＣ２０において上述した新規の動画像Ａ′が図８（７）に示すように記録媒体であるフラッシュメモリ３８に更新記録されることとなり、併せて整理のために同時に古い動画像Ａ及び挿入するべく撮影により得た動画像Ｂ〜Ｄの各データファイルはフラッシュメモリ３８から消去される。
【０１３３】
このように、先に選択した動画像（Ａ）中の任意の時間位置の指定を複数行なった後、挿入するべき新たな動画像（Ｂ〜Ｄ）を順次指定された順序通り撮影し、これを先の動画像（Ａ）に組込んで動画像（Ａ１＋Ｃ＋Ａ２＋Ｄ＋Ａ３＋Ｂ＋Ａ４）として再生表示させるまでの一連の編集作業を、基本モード等の変更操作を一切必要とせずに、最小限のキー操作で実施可能としたので、このデジタルカメラ１のユーザが編集に要する作業を大幅に簡易化できる。
【０１３４】
加えて、複数の動画像を先に選択した動画像に挿入することにより、例えばフラッシュバック的な映像効果を容易に設定して実施できるため、表現の幅を大きく広めることができる。
【０１３５】
さらに、途中に組込む複数の動画像個々の撮影順序も指定できるものとしたため、ユーザの工夫次第でより撮影と編集とに要する手間を簡略化し、容易に表現力の高い動画像を作成することができる。
【０１３６】
（第４の実施形態）
以下本発明をデジタルカメラに適用した場合の第４の実施形態について図面を参照して説明する。
【０１３７】
なお、その外観構成については上記図１に示したものと、また電子回路構成については上記図２に示したものと、それぞれ基本的には同様であるものとして、同一部分は同一符号を用い、その図示及び説明は省略する。
【０１３８】
次に上記実施の形態の動作について説明する。
図９は、モードスイッチ１０により再生モードを選択している状態で、フラッシュメモリ３８に記録されている動画像データを選択して他の動画像データを組込んで更新記録するまでの、主として制御部３２による一連の処理内容を示すものである。
【０１３９】
その当初には、まず表示させたい動画像データを選択した上で（ステップＤ０１）、例えば直接のシャッタキー９操作による、再生開始を指示するキー操作がなされるか否か（ステップＤ０２）、あるいはメニューキー１２と十字キー１３の操作に続けてのシャッタキー９の操作により、選択している動画像の途中に他の動画像を組込む動画挿入モードの指定がなされるか否か（ステップＤ０３）、を繰返し判断することで、これらのキー操作を待機する。
【０１４０】
しかして、動画挿入モードの指定に係るキー操作がなされた場合は、ステップＤ０３でこれを判断し、動画挿入モードの設定を行なってから（ステップＤ０４）、再び上記ステップＤ０１からの処理に戻る。
【０１４１】
ステップＤ０２で再生を開始するキー操作がなされたと判断すると、まずその時点で上記動画挿入モードの設定がなされているか否かを判断する（ステップＤ０５）。
【０１４２】
ここで、動画挿入モードが設定されていなかった場合には、以後、通常の動画再生の処理を行なうものとし、ここではその説明を省略する。
【０１４３】
また、上記ステップＤ０５で動画挿入モードが設定されていると判断すると、上記ステップＤ０１で選択した動画像データの再生を開始すると共に（ステップＤ０６）、例えばシャッタキー９の操作によりその再生表示している動画像途中の挿入時点を指示する挿入マークの付与がなされたか否か（ステップＤ０７）、はじめに選択した動画像の再生が終了したか否か（ステップＤ０８）、を繰返し判断することで、これらの状態となるのを待機する。
【０１４４】
ステップＤ０８で動画像の再生が終了したと判断した場合、挿入マークの付与がなされず、結果としてはじめに選択した動画像中に編集（挿入）するべき時間位置がなかったものとして、以上でこの一連の処理を終了する。
【０１４５】
また、上記ステップＤ０７で挿入マークの付与がなされたと判断した場合、直ちに基本モードとしての再生モードから記録モードに移行し（ステップＤ０９）、併せて上記挿入マークが付与設定された動画像中の時間位置から遡って一定時間、例えば５秒間分の動画像を表示部１６にて再生した上で（ステップＤ１０）、挿入する新たな動画像の記録を開始指示するキー操作、具体的にはシャッタキー９の操作を待機する（ステップＤ１１）。
【０１４６】
この場合、上記再生処理後に、併せて表示部１６にて例えば
「挿入する動画像の撮影に移行します
シャッタを押して撮影を行って下さい」
のような文字列でガイドメッセージを表示するものとしてもよい。
【０１４７】
シャッタキー９の操作により動画像の記録開始が指示されると、ステップＤ１１でこれを判断して、以後挿入する動画像の記録を実行しながら（ステップＤ１２）、シャッタキー９の操作が解除されるか、あるいは予め設定された動画像の連続記録の制限時間、例えば３０秒となることにより動画像の記録を終了するか否かを判断する（ステップＤ１３）、という処理を繰返し実行して、動画像の記録を続行する。
【０１４８】
このとき、得られる動画像データは順次フラッシュメモリ３８に新たな動画像データとして記録していく。
【０１４９】
そして、ステップＤ１３で動画像の記録を終了すると判断すると、以上で挿入するべき動画像データの取得を終えたものとして、再び記録モードを再生モードに切換設定した上で（ステップＤ１４）、はじめに上記ステップＤ０１で選択した動画像データの途中に上記記録によって得た新たな動画像データを組込んだ動画像データを表示部１６にて最初から最後まで一通り再生表示する（ステップＤ１５）。
【０１５０】
その再生を終えた後、再生した内容で新規に動画像データのファイルを記録保存するか否かを判断する（ステップＤ１６）。
【０１５１】
これは、表示部１６で例えば
「いま再生した内容で記録し直しますか？
はい    いいえ」
のような文字列のガイドメッセージを表示し、併せて上記「はい」の文字列部分をカーソルにより反転表示した状態で、直接シャッタキー９が操作されるか、あるいは十字キー１３の右方向キーの操作でカーソルによる反転表示が上記「いいえ」の文字列部分に移動された後にシャッタキー９が操作されるかにより判断する。
【０１５２】
しかして、上記ステップＤ１６で新規に記録保存すると判断した場合には、フラッシュメモリ３８に記録されている２つの動画像データを用いて上記再生を行なった順序となるように編集作業を実施し、１つの動画像データとして新規に記録し直して（ステップＤ１７）、以上でこの一連の処理を終了する。
【０１５３】
また、上記ステップＤ１６で新規に記録保存しないと判断した場合には、挿入するものとして後から撮影により得た動画像データをフラッシュメモリ３８から消去して削除し（ステップＤ１８）、以上でこの一連の処理を終了する。
【０１５４】
上記図４は、上述した一連の処理に基づいて編集される動画像データを例示するものである。始めに、図４（１）に示すような動画像Ａを上記ステップＤ０１で選択したものとする。
【０１５５】
動画挿入モードを設定した状態でこの動画像Ａを再生し、図４（２）に示す再生時点で挿入マークＩＭを付与したものとする。挿入マークＩＭを挟んで、この動画像Ａ中のすでに再生を終えた前半部をＡ１とし、まだ再生していない後半部をＡ２とする。
【０１５６】
自動的に記録モードに移行し、ステップＤ１０で挿入マークＩＭを付与した時点から一定時間分の画像を再度再生表示し、ユーザに挿入する動画像のイメージをしっかり認識させた上で、上記ステップＤ１１〜Ｄ１３の処理により挿入すべきものとして図４（３）に示すような動画像Ｂを新たに記録すると、ステップＤ１４で再び自動的に再生モードに移行し、続くステップＤ１５で図４（４）に示すような、上記動画像Ａ中の挿入マークＩＭ付与位置に動画像Ｂを組込んだ一連の動画像「Ａ１＋Ｂ＋Ａ２」を表示部１６で再生表示する。
【０１５７】
こうして再生した、動画像Ｂを任意の時間位置に組込んだ動画像Ａについて、新規の動画像として記録保存する旨のキー操作がなされると、ステップＤ１７において上述した新規の動画像Ａ′が図４（５）に示すように記録媒体であるフラッシュメモリ３８に更新記録されることとなり、併せて整理のために同時に古い動画像Ａ及び動画像Ｂの各データファイルはフラッシュメモリ３８から消去される。
【０１５８】
このように、先に選択した動画像（Ａ）中の任意の時間位置の指定を行なった後、挿入するべき新たな動画像（Ｂ）を撮影し、これを先の動画像（Ａ）に組込んで動画像（Ａ１＋Ｂ＋Ａ２）として再生表示させるまでの一連の編集作業を、基本モード等の変更操作を一切必要とせずに、最小限のキー操作で実施可能としたので、このデジタルカメラ１のユーザが編集に要する作業を大幅に簡易化できる。
【０１５９】
加えて、新たに組込む動画像の直前のシーンを再生によりユーザにしっかり視認させた上で撮影に移行するようになるため、ユーザは自身が指定した意図を充分に認識してから組込む動画像の撮影に移行でき、撮影の失敗を減らすことができる。
【０１６０】
なお、この第４の実施形態は、上記ステップＤ１０における一定時間分の動画像の再生処理を上記第１の実施形態の動作に組合わせて説明したものであるが、第１の実施形態のみならず、第２または第３の実施形態の動作に組合わせて実施することも同様に可能である。
【０１６１】
その場合、新たに撮影して記録しようとする動画像の撮影開始に先立って、撮影順序を考慮し、その動画像に挿入する時点の直前のシーンをそれぞれ再生し、ユーザに内容を再度視認させることとなる。
【０１６２】
さらに、上記第１及至第４の実施形態では、動画像Ａ′を記録媒体であるフラッシュメモリ３８に記録するのと同時に古い動画像Ａ及び動画像Ｂの各データファイルはフラッシュメモリ３８から消去されるものとしたが、消去しないものとしても良いし、ユーザの好みで古い動画像Ａ及び動画像Ｂを消去するか否かを選べるようにしても良い。このように古い動画像Ａ及び動画像Ｂを残しておくことでユーザの画像データの利用範囲が広がる。
【０１６３】
また、上記第１及至第４の実施形態では、動画像に挿入する画像データは動画像としたが、挿入する画像データは動画像に限らず静止画像であっても良い。この場合は、静止画像を動画像Ａと同じデータ形式の所定時間（たとえば２秒）の静止画像に変換して、上記動画像Ｂを挿入する場合と同じように挿入する。
【０１６４】
そして上記動画像Ａ′と同様に記録媒体であるフラッシュメモリ３８に記録する。所定時間はユーザが任意に指定できるものとする。もちろん古い動画像及び静止画像はユーザが消去するか否かを選べるものとしてもよい。このようにすれば、よりユーザの意図した画像編集が行なえる。
【０１６５】
また、上記第１乃至第４の実施形態は、いずれも本発明をデジタルカメラに適用した場合について説明したものであるが、本発明はこれに限らず、記録媒体としてランダムアクセス可能な半導体メモリやハードディスク装置等を用いるカメラ一体型のビデオテープレコーダや、動画対応の携帯電話端末、ＰＤＡ（Ｐｅｒｓｏｎａｌ  Ｄｉｇｉｔａｌ  Ａｓｓｉｓｔａｎｔｓ：携帯情報端末）など、各種の撮像装置にも適用可能となることは勿論である。
【０１６６】
その他、本発明は上記実施の形態に限らず、その要旨を逸脱しない範囲内で種々変形して実施することが可能であるものとする。
【０１６７】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【０１６８】
【図１】本発明の第１の実施形態に係るデジタルカメラの外観構成を示す斜視図。
【図２】同実施形態に係る回路構成を示すブロック図。
【図３】同実施形態に係る主として動画挿入モードでの処理内容を示すフローチャート。
【図４】同実施形態に係る動画挿入モードで取扱われる動画像データの編集内容を例示する図。
【図５】本発明の第２の実施形態に係る主として動画挿入モードでの処理内容を示すフローチャート。
【図６】同実施形態に係る動画挿入モードで取扱われる動画像データの編集内容を例示する図。
【図７】本発明の第３の実施形態に係る主として動画挿入モードでの処理内容を示すフローチャート。
【図８】同実施形態に係る動画挿入モードで取扱われる動画像データの編集内容を例示する図。
【図９】本発明の第４の実施形態に係る主として動画挿入モードでの処理内容を示すフローチャート。
【図１０】本発明の第１の実施形態に係る動画挿入モードでの動画像データ再生時の表示例を示す図。
【図１１】同実施形態に係る動画挿入モードでの再生モードから記録モードへ移行したときの表示例を示す図。
【符号の説明】
【０１６９】
１…デジタルカメラ、２…撮影レンズ、３…セルフタイマランプ、４…光学ファインダ窓、５…マイクロホン部、６…ストロボ発光部、７…ラバーグリップ、８…電源キー、９…シャッタキー、１０…モードスイッチ（ＳＷ）、１１…スピーカ部、１２…メニューキー、１３…十字キー、１４…光学ファインダ、１５…ストロボチャージランプ、１６…表示部、２１…モータ（Ｍ）、２２…レンズ光学系、２３…ＣＣＤ、２４…タイミング発生器（ＴＧ）、２５…垂直ドライバ、２６…サンプルホールド回路（Ｓ／Ｈ）、２７…Ａ／Ｄ変換器、２８…カラープロセス回路、２９…ＤＭＡコントローラ、３０…ＤＲＡＭインタフェース（Ｉ／Ｆ）、３１…ＤＲＡＭ、３２…制御部、３３…ＶＲＡＭコントローラ、３４…ＶＲＡＭ、３５…デジタルビデオエンコーダ、３６…キー入力部、３７…ＪＰＥＧ回路、３８…フラッシュメモリ、３９…音声処理部、４０…ＵＳＢインタフェース（Ｉ／Ｆ）、４１…ＵＳＢコネクタ、ＩＭ，ＩＭ１〜ＩＭ３…挿入マーク。
【図１】
2006340381.tif 000003
【図２】
2006340381.tif 000004
【図３】
2006340381.tif 000005
【図４】
2006340381.tif 000006
【図５】
2006340381.tif 000007
【図６】
2006340381.tif 000008
【図７】
2006340381.tif 000009
【図８】
2006340381.tif 000010
【図９】
2006340381.tif 000011
【図１０】
2006340381.tif 000012
【図１１】
2006340381.tif 000013
【手続補正書】
【提出日】平成18年7月14日(2006.7.14)
【手続補正１】
【補正対象書類名】特許請求の範囲
【補正対象項目名】全文
【補正方法】変更
【補正の内容】
【特許請求の範囲】
【請求項１】
動画像の撮影及び再生が可能な撮像装置において、
撮影により得た動画像データを記録する記録手段と、
この記録手段に記録されている任意の動画像データを選択する選択手段と、
この選択手段により選択された動画像データ中の任意の時間位置を指定する指定手段と、
この指定手段により時間位置が指定されたときに、所定のタイミングで画像の撮影に移行する撮影制御手段と、
この撮影制御手段により画像の撮影に移行されて得た新たな画像データを一時記憶する一時記憶手段と、
この一時記憶手段に一時記憶された新たな画像データを上記指定された時間位置に基づいて上記選択手段により選択された動画像データに組込み、一連の動画像データにして再生表示させる再生表示制御手段と、
この再生表示制御手段により再生表示された一連の動画像データを所定の指示に基づいて上記記録手段に一つの動画像データとして記憶させる組込記憶制御手段と、
前記所定の指示に基づいて前記選択手段により選択された動画像データを前記記録手段から消去する消去手段と
を具備したことを特徴とする撮像装置。
【請求項２】
上記指定手段は、動画像データ中の複数の任意の時間位置を指定することを特徴とする請求項１記載の撮像装置。
【請求項３】
上記指定手段は、動画像データ中の複数の任意の時間位置と撮影順序とを指定し、上記撮影制御手段は、この指定手段により指定された撮影順序に従って複数の画像の撮影に移行することを特徴とする請求項１記載の撮像装置。
【請求項４】
上記撮影制御手段は、上記指定手段により時間位置が指定されたときに、動画像中の指定された時間位置直前の所定時間分の動画像を再生させ、所定のタイミングで画像の撮影に移行することを特徴とする請求項１記載の撮像装置。
【請求項５】
動画像の撮影及び再生が可能な撮像装置の画像編集方法であって、
撮影により得た動画像データを記録する記録媒体に記録されている任意の動画像データを選択する選択工程と、
この選択工程で選択された動画像データ中の任意の時間位置を指定する指定工程と、
この指定工程により時間位置が指定されたときに、所定のタイミングで画像の撮影に移行する撮影制御工程と、
この撮影制御工程で画像の撮影に移行されて得た新たな画像データを一時記憶する一時記憶工程と、
この一時記憶工程で一時記憶された新たな画像データを上記指定された時間位置に基づいて上記選択工程で選択された動画像データに組込み、一連の動画像データにして再生表示させる再生表示制御工程と、
この再生表示制御工程で再生表示された一連の動画像データを所定の指示に基づいて上記記録媒体に一つの動画像データとして記憶させる組込記憶制御工程と、
前記所定の指示に基づいて前記選択工程で選択された動画像データを前記記録媒体から消去する消去工程と
を有したことを特徴とする画像編集方法。
【請求項６】
動画像の撮影及び再生が可能な撮像装置の画像編集方法であって、
撮影により得た動画像データを記録する記録媒体に記録されている任意の動画像データを選択する選択工程と、
この選択工程で選択された動画像データ中の任意の時間位置を指定する指定工程と、
この指定工程により時間位置が指定されたときに、所定のタイミングで静止画像の撮影に移行する撮影制御工程と、
この撮影制御工程で画像の撮影に移行されて得た新たな静止画像データを一時記憶する一時記憶工程と、
この一時記憶工程で一時記憶された新たな静止画像データを上記指定された時間位置に基づいて所定時間の静止画として上記選択工程で選択された動画像データに組込んで再生表示させる再生表示制御工程と、
この再生表示制御工程で再生表示された静止画像データの組込まれた動画像データを所定の指示に基づいて上記記録媒体に一つの動画像データとして記憶させる組込記憶制御工程と、
前記所定の指示に基づいて前記選択工程で選択された動画像データを前記記録媒体から消去する消去工程と
を有したことを特徴とする画像編集方法。
【請求項７】
動画像の撮影及び再生が可能な撮像装置に内蔵されるコンピュータに実行させるプログラムであって、
撮影により得た動画像データを記録する記録媒体に記録されている任意の動画像データを選択する選択ステップと、
この選択ステップで選択された動画像データ中の任意の時間位置を指定する指定ステップと、
この指定ステップにより時間位置が指定されたときに、所定のタイミングで画像の撮影に移行する撮影制御ステップと、
この撮影制御ステップで画像の撮影に移行されて得た新たな画像データを一時記憶する一時記憶ステップと、
この一時記憶ステップで一時記憶された新たな画像データを上記指定された時間位置に基づいて上記選択ステップで選択された動画像データに組込み、一連の動画像データにして再生表示させる再生表示制御ステップと、
この再生表示制御ステップで再生表示された一連の動画像データを所定の指示に基づいて上記記録媒体に一つの動画像データとして記憶させる組込記憶制御ステップと、
前記所定の指示に基づいて前記選択ステップで選択された動画像データを前記記録媒体から消去する消去ステップと
をコンピュータに実行させることを特徴とするプログラム。
【手続補正２】
【補正対象書類名】明細書
【補正対象項目名】００１１
【補正方法】変更
【補正の内容】
【００１１】
請求項１記載の発明は、動画像の撮影及び再生が可能な撮像装置において、撮影により得た動画像データを記録する記録手段と、この記録手段に記録されている任意の動画像データを選択する選択手段と、この選択手段により選択された動画像データ中の任意の時間位置を指定する指定手段と、この指定手段により時間位置が指定されたときに、所定のタイミングで画像の撮影に移行する撮影制御手段と、この撮影制御手段により画像の撮影に移行されて得た新たな画像データを一時記憶する一時記憶手段と、この一時記憶手段に一時記憶された新たな画像データを上記指定された時間位置に基づいて上記選択手段により選択された動画像データに組込み、一連の動画像データにして再生表示させる再生表示制御手段と、この再生表示制御手段により再生表示された一連の動画像データを所定の指示に基づいて上記記録手段に一つの動画像データとして記憶させる組込記憶制御手段と、前記所定の指示に基づいて前記選択手段により選択された動画像データを前記記録手段から消去する消去手段とを具備したことを特徴とする。
【手続補正３】
【補正対象書類名】明細書
【補正対象項目名】００１４
【補正方法】変更
【補正の内容】
【００１４】
請求項４記載の発明は、上記請求項１記載の発明において、上記撮影制御手段は、上記指定手段により時間位置が指定されたときに、動画像中の指定された時間位置直前の所定時間分の動画像を再生させ、所定のタイミングで画像の撮影に移行することを特徴とする。
【手続補正４】
【補正対象書類名】明細書
【補正対象項目名】００１５
【補正方法】変更
【補正の内容】
【００１５】
請求項５記載の発明は、動画像の撮影及び再生が可能な撮像装置の画像編集方法であって、撮影により得た動画像データを記録する記録媒体に記録されている任意の動画像データを選択する選択工程と、この選択工程で選択された動画像データ中の任意の時間位置を指定する指定工程と、この指定工程により時間位置が指定されたときに、所定のタイミングで画像の撮影に移行する撮影制御工程と、この撮影制御工程で画像の撮影に移行されて得た新たな画像データを一時記憶する一時記憶工程と、この一時記憶工程で一時記憶された新たな画像データを上記指定された時間位置に基づいて上記選択工程で選択された動画像データに組込み、一連の動画像データにして再生表示させる再生表示制御工程と、この再生表示制御工程で再生表示された一連の動画像データを所定の指示に基づいて上記記録媒体に一つの動画像データとして記憶させる組込記憶制御工程と、前記所定の指示に基づいて前記選択工程で選択された動画像データを前記記録媒体から消去する消去工程とを有したことを特徴とする。
【手続補正５】
【補正対象書類名】明細書
【補正対象項目名】００１６
【補正方法】変更
【補正の内容】
【００１６】
請求項６記載の発明は、動画像の撮影及び再生が可能な撮像装置の画像編集方法であって、撮影により得た動画像データを記録する記録媒体に記録されている任意の動画像データを選択する選択工程と、この選択工程で選択された動画像データ中の任意の時間位置を指定する指定工程と、この指定工程により時間位置が指定されたときに、所定のタイミングで静止画像の撮影に移行する撮影制御工程と、この撮影制御工程で画像の撮影に移行されて得た新たな静止画像データを一時記憶する一時記憶工程と、この一時記憶工程で一時記憶された新たな静止画像データを上記指定された時間位置に基づいて所定時間の静止画として上記選択工程で選択された動画像データに組込んで再生表示させる再生表示制御工程と、この再生表示制御工程で再生表示された静止画像データの組込まれた動画像データを所定の指示に基づいて上記記録媒体に一つの動画像データとして記憶させる組込記憶制御工程と、前記所定の指示に基づいて前記選択工程で選択された動画像データを前記記録媒体から消去する消去工程とを有したことを特徴とする。
【手続補正６】
【補正対象書類名】明細書
【補正対象項目名】００１７
【補正方法】変更
【補正の内容】
【００１７】
請求項７記載の発明は、動画像の撮影及び再生が可能な撮像装置に内蔵されるコンピュータに実行させるプログラムであって、撮影により得た動画像データを記録する記録媒体に記録されている任意の動画像データを選択する選択ステップと、この選択ステップで選択された動画像データ中の任意の時間位置を指定する指定ステップと、この指定ステップにより時間位置が指定されたときに、所定のタイミングで画像の撮影に移行する撮影制御ステップと、この撮影制御ステップで画像の撮影に移行されて得た新たな画像データを一時記憶する一時記憶ステップと、この一時記憶ステップで一時記憶された新たな画像データを上記指定された時間位置に基づいて上記選択ステップで選択された動画像データに組込み、一連の動画像データにして再生表示させる再生表示制御ステップと、この再生表示制御ステップで再生表示された一連の動画像データを所定の指示に基づいて上記記録媒体に一つの動画像データとして記憶させる組込記憶制御ステップと、前記所定の指示に基づいて前記選択ステップで選択された動画像データを前記記録媒体から消去する消去ステップとをコンピュータに実行させることを特徴とする。